(57)【要約】【目的】ＢＩＢを飲料供給装置に載置してからの時間経過により、チューブが変形してシロップが通過する断面積が減少したり、また、飲料供給装置での飲料供給により、ＢＩＢ内のシロップ嵩が減少した場合にも、シロップ吐出量を一定に保ち、所定の希釈比率で飲料を供給することが可能な飲料供給装置を提供することを目的とする。【構成】ＢＩＢ５を飲料ディスペンサ１に載置し、チューブ６をチューブポンプ２０に配設してからの時間経過に伴いチューブ６の変形が進行してシロップが通過する断面積（チューブ内シロップ容量）が減少し、チューブ６吐出口６ａからの単位時間当たりのシロップ吐出量が減少した場合に、駆動モータ２９の時間当たりの回転数を補正（増やす）することにより、時間当たりのシロップの吐出量を一定にする。【選択図】        図１
2006069551.tif 000002
【特許請求の範囲】
【請求項１】
シロップと希釈水からなる飲料を供給する飲料供給装置において、
前記シロップが充填され、一端がその底部に連通されるとともに他端に吐出口が形成され、該シロップが流出する可撓性のチューブを備えたＢＩＢ（Ｂａｇ  Ｉｎ  Ｂｏｘ）と、
前記チューブの一端および他端間に配設され、前記ＢＩＢから前記チューブ内に流出した前記シロップを前記吐出口から吐出させるチューブポンプと、
前記飲料を供給するときは、記憶手段に記憶させたデータに基いて前記チューブポンプを駆動して前記チューブの吐出口から吐出させる前記シロップの量を制御する制御手段と、を備えたことを特徴とする飲料供給装置。
【請求項２】
シロップと希釈水からなる飲料を供給する飲料供給装置において、
前記シロップが充填され、一端がその底部に連通されるとともに他端に吐出口が形成され、該シロップが流出する可撓性のチューブを備えたＢＩＢ（Ｂａｇ  Ｉｎ  Ｂｏｘ）と、
前記チューブの一端および他端間に配設されるとともにチューブに接触する複数個のローラを回転可能な円板上に設けてなるロータと、前記ロータに対向して配設され、前記ローラに前記チューブを押圧するチューブガイドと、前記ロータを回転駆動する駆動モータとを有し、前記駆動モータが駆動されると前記ロータの各ローラとチューブガイドとの協働により前記ＢＩＢから前記チューブ内に流出したシロップを前記吐出口から吐出させるチューブポンプと、
前記飲料を供給するときは、記憶手段に記憶させたデータに基いて前記駆動モータの単位時間当たりの回転数を決定して、前記駆動モータを駆動して前記チューブの吐出口から前記シロップを吐出させる制御手段と、を備えたことを特徴とする飲料供給装置。
【請求項３】
シロップと希釈水からなる飲料を供給する飲料供給装置において、
前記シロップが充填され、一端がその底部に連通されるとともに他端に吐出口が形成され、該シロップが流出する可撓性のチューブを備えたＢＩＢ（Ｂａｇ  Ｉｎ  Ｂｏｘ）と、
前記チューブの一端および他端間に配設されるとともにチューブに接触する複数個のローラを回転可能な円板上に設けてなるロータと、前記ロータに対向して配設され、前記ローラに前記チューブを押圧するチューブガイドと、前記ロータを回転駆動する駆動モータとを有し、前記駆動モータが駆動されると前記ロータの各ローラとチューブガイドとの協働により前記ＢＩＢから前記チューブ内に流出したシロップを前記吐出口から吐出させるチューブポンプと、
前記飲料を供給するときは、記憶手段に記憶させたデータに基いて前記駆動モータの回転数を決定して、前記駆動モータを駆動して前記チューブの吐出口から前記シロップを吐出させる制御手段と、を備えたことを特徴とする飲料供給装置。
【請求項４】
シロップと希釈水からなる飲料を供給する飲料供給装置において、
前記シロップが充填され、一端がその底部に連通されるとともに他端に吐出口が形成され、該シロップが流出する可撓性のチューブを備えたＢＩＢ（Ｂａｇ  Ｉｎ  Ｂｏｘ）と、
前記チューブの一端および他端間に配設されるとともにチューブに接触する複数個のローラを回転可能な円板上に設けてなるロータと、前記ロータに対向して配設され、前記ローラに前記チューブを押圧するチューブガイドと、前記ロータを回転駆動する駆動モータとを有し、前記駆動モータが駆動されると前記ロータの各ローラとチューブガイドとの協働により前記ＢＩＢから前記チューブ内に流出したシロップを前記吐出口から吐出させるチューブポンプと、
前記飲料を供給するときは、記憶手段に記憶させたデータに基いて前記駆動モータの駆動時間を決定して、前記駆動モータを駆動して前記チューブの吐出口から前記シロップを吐出させる制御手段と、を備えたことを特徴とする飲料供給装置。
【請求項５】
前記制御手段は、前記記憶手段に記憶させたデータと、前記飲料供給装置に前記ＢＩＢを載置してからの時間と、に基いて制御することを特徴とする請求項１乃至４の何れかに記載の飲料供給装置。
【請求項６】
前記制御手段は、前記記憶手段に記憶させたデータと、前記飲料供給装置に前記ＢＩＢを載置してからの前記駆動モータの回転数と、に基いて制御することを特徴とする請求項１乃至４の何れかに記載の飲料供給装置。
【請求項７】
前記制御手段は、前記記憶手段に記憶させたデータと、前記飲料供給装置に前記ＢＩＢを載置してからの時間および前記駆動モータの回転数と、に基いて制御することを特徴とする請求項１乃至４の何れかに記載の飲料供給装置。
【発明の詳細な説明】
【技術分野】
【０００１】
本発明は、複数のローラでチューブを押し潰してしごくことにより、ＢＩＢ（Ｂａｇ  Ｉｎ  Ｂｏｘ）に充填されたシロップを一定量ずつ圧送するチューブポンプを用いて、シロップと希釈水からなる飲料を供給する飲料ディスペンサやカップ式飲料自動販売機などの飲料供給装置に関するものである。
【背景技術】
【０００２】
従来より、ＢＩＢに充填されたシロップを一定量ずつ圧送するチューブポンプを用いて、シロップと希釈水からなる飲料を供給する飲料供給装置が知られており、飲料ディスペンサやカップ式飲料自動販売機などに使用されている。
たとえば、飲料供給装置としては、図７の概略構成図に示す飲料ディスペンサが知られている。
図７に示すように、飲料ディスペンサ１は、開閉可能な前扉２を備え、本体３上部に配置される冷蔵庫４、その冷蔵庫４内に収納されたＢＩＢ５内のシロップを所定量圧送するチューブポンプ２０、カップＣを載置するドリップトレイ７から構成されている。また、チューブポンプ２０に配設したチューブ６の吐出口６ａ（図８参照）近傍に希釈水を一定量注出する希釈水ノズル８が設けられ、飲料供給指令を受けると、ドリップトレイ７に載置されたカップＣにシロップと希釈水とが所定量ずつ供給されて飲料となる。
【０００３】
図８は、チューブポンプ２０の正面図を示し、チューブポンプ２０は、ボディ２１に回転可能に軸支されたロータ２２を備え、ロータ２２は、円周方向に等間隔に配設された３個のローラ２３を回転可能に保持している。ロータ２２の片側には、チューブガイド２４が支軸２５に揺動可能に軸支され、ローラ２３とチューブガイド２４との間にチューブ６が配設されている。チューブガイド２４は、上流側端部がストッパ２６に当接されることによりロータ２２に対して位置合わせされ、チューブガイドロック２７で固定されている。また、チューブ６の吐出口６ａは、チューブ固定部２８で固定される。
チューブポンプ２０は、チューブ６を配設してチューブガイドロック２７でチューブガイド２４を位置決め固定した状態で駆動モータ２９（後述する）を駆動してロータ２２を時計方向（図中矢印方向）に回転させると、各ローラ２３がチューブ６を所定の押圧力で順次押し潰してしごき、シロップを一定量ずつ圧送する。シロップの圧送を停止するときは、チューブ６内のシロップが流出しないように、ロータ２２の少なくとも一つのローラ２３がチューブガイド２４にチューブ６を押圧する位置で駆動モータ２９を停止させる。また、チューブガイドロック２７の先端部を図示しない付勢バネの付勢力に反して穴から引き抜き、チューブガイド２４をチューブ６から離間する方向に揺動させると、ローラ２３がチューブ６を押し付ける押圧力が解除される（例えば、特許文献１、２参照）。
【特許文献１】特開２００２−１２８１９７号公報
【特許文献２】特開２００２−１３０１５３号公報
【発明の開示】
【発明が解決しようとする課題】
【０００４】
しかしながら、飲料ディスペンサ１は、チューブポンプ２０のローラ２３がチューブ６をチューブガイド２４に常に押圧しているので、チューブ６はこのローラ２３の押圧力で徐々に真円から楕円に変形する。このようにＢＩＢ５を飲料ディスペンサ１に載置し、チューブ６をチューブポンプ２０に配設してからの時間経過（放置）に伴いチューブ６の変形が進行するとシロップが通過する断面積（チューブ内シロップ容量）が減少するので、図９に示すように（発明者が行った実機テストから得たデータによる）、チューブ６吐出口６ａからの単位時間当たりのシロップ吐出量が減少する。また、飲料ディスペンサ１での飲料供給により、ＢＩＢ５内のシロップ量（シロップ嵩）が減少するとシロップ自重が軽くなり、チューブ６内の流出圧が下がり、図１０に示すように（発明者が行った実機テストから得たデータによる）、チューブ６吐出口６ａからの単位時間当たりのシロップ吐出量が減少する。
【０００５】
単位時間当たりのシロップ吐出量が減少すると、飲料の希釈比率が変化して、シロップ比率の少ない、所謂、味の薄い飲料となる虞がある。また、ＢＩＢ５のシロップ売切れをチューブポンプ２０の動作時間（駆動モータ２９の回転数）により管理している場合には、シロップの吐出量が減少した分がＢＩＢ５内に余分に残ることになる。
本発明は、上記実情に鑑みて、ＢＩＢを飲料供給装置に載置し、ＢＩＢのチューブをチューブポンプに配設してからの時間経過により、チューブが変形してシロップが通過する断面積が減少したり、また、飲料供給装置での飲料供給により、ＢＩＢ内のシロップ量（シロップ嵩）が減少した場合にも、シロップ吐出量を一定に保ち、所定の希釈比率で飲料を供給することが可能な飲料供給装置を提供することを目的とする。
【課題を解決するための手段】
【０００６】
上記目的を達成するため、本発明の請求項１に係る飲料供給装置は、シロップと希釈水からなる飲料を供給する飲料供給装置において、
前記シロップが充填され、一端がその底部に連通されるとともに他端に吐出口が形成され、該シロップが流出する可撓性のチューブを備えたＢＩＢ（Ｂａｇ  Ｉｎ  Ｂｏｘ）と、
前記チューブの一端および他端間に配設され、前記ＢＩＢから前記チューブ内に流出した前記シロップを前記吐出口から吐出させるチューブポンプと、
前記飲料を供給するときは、記憶手段に記憶させたデータに基いて前記チューブポンプを駆動して前記チューブの吐出口から吐出させる前記シロップの量を制御する制御手段と、を備えたことを特徴とする。
【０００７】
また、本発明の請求項２に係る飲料供給装置は、シロップと希釈水からなる飲料を供給する飲料供給装置において、
前記シロップが充填され、一端がその底部に連通されるとともに他端に吐出口が形成され、該シロップが流出する可撓性のチューブを備えたＢＩＢ（Ｂａｇ  Ｉｎ  Ｂｏｘ）と、
前記チューブの一端および他端間に配設されるとともにチューブに接触する複数個のローラを回転可能な円板上に設けてなるロータと、前記ロータに対向して配設され、前記ローラに前記チューブを押圧するチューブガイドと、前記ロータを回転駆動する駆動モータとを有し、前記駆動モータが駆動されると前記ロータの各ローラとチューブガイドとの協働により前記ＢＩＢから前記チューブ内に流出したシロップを前記吐出口から吐出させるチューブポンプと、
前記飲料を供給するときは、記憶手段に記憶させたデータに基いて前記駆動モータの単位時間当たりの回転数を決定して、前記駆動モータを駆動して前記チューブの吐出口から前記シロップを吐出させる制御手段と、を備えたことを特徴とする。
【０００８】
また、本発明の請求項３に係る飲料供給装置は、シロップと希釈水からなる飲料を供給する飲料供給装置において、
前記シロップが充填され、一端がその底部に連通されるとともに他端に吐出口が形成され、該シロップが流出する可撓性のチューブを備えたＢＩＢ（Ｂａｇ  Ｉｎ  Ｂｏｘ）と、
前記チューブの一端および他端間に配設されるとともにチューブに接触する複数個のローラを回転可能な円板上に設けてなるロータと、前記ロータに対向して配設され、前記ローラに前記チューブを押圧するチューブガイドと、前記ロータを回転駆動する駆動モータとを有し、前記駆動モータが駆動されると前記ロータの各ローラとチューブガイドとの協働により前記ＢＩＢから前記チューブ内に流出したシロップを前記吐出口から吐出させるチューブポンプと、
前記飲料を供給するときは、記憶手段に記憶させたデータに基いて前記駆動モータの回転数を決定して、前記駆動モータを駆動して前記チューブの吐出口から前記シロップを吐出させる制御手段と、を備えたことを特徴とする。
【０００９】
また、本発明の請求項４に係る飲料供給装置は、シロップと希釈水からなる飲料を供給する飲料供給装置において、
前記シロップが充填され、一端がその底部に連通されるとともに他端に吐出口が形成され、該シロップが流出する可撓性のチューブを備えたＢＩＢ（Ｂａｇ  Ｉｎ  Ｂｏｘ）と、
前記チューブの一端および他端間に配設されるとともにチューブに接触する複数個のローラを回転可能な円板上に設けてなるロータと、前記ロータに対向して配設され、前記ローラに前記チューブを押圧するチューブガイドと、前記ロータを回転駆動する駆動モータとを有し、前記駆動モータが駆動されると前記ロータの各ローラとチューブガイドとの協働により前記ＢＩＢから前記チューブ内に流出したシロップを前記吐出口から吐出させるチューブポンプと、
前記飲料を供給するときは、記憶手段に記憶させたデータに基いて前記駆動モータの駆動時間を決定して、前記駆動モータを駆動して前記チューブの吐出口から前記シロップを吐出させる制御手段と、を備えたことを特徴とする。
【００１０】
また、本発明の請求項５に係る飲料供給装置は、上述した請求項１乃至４の何れかにおいて、前記制御手段は、前記記憶手段に記憶させたデータと、前記飲料供給装置に前記ＢＩＢを載置してからの時間と、に基いて制御することを特徴とする。
また、本発明の請求項６に係る飲料供給装置は、上述した請求項１乃至４の何れかにおいて、前記制御手段は、前記記憶手段に記憶させたデータと、前記飲料供給装置に前記ＢＩＢを載置してからの前記駆動モータの回転数と、に基いて制御することを特徴とする。
また、本発明の請求項７に係る飲料供給装置は、上述した請求項１乃至４の何れかにおいて、前記制御手段は、前記記憶手段に記憶させたデータと、前記飲料供給装置に前記ＢＩＢを載置してからの時間および前記駆動モータの回転数と、に基いて制御することを特徴とする。
【発明の効果】
【００１１】
請求項１の発明によれば、飲料供給装置に、可撓性のチューブを備えたＢＩＢと、チューブの一端および他端間に配設され、ＢＩＢからチューブ内に流出したシロップを吐出口から吐出させるチューブポンプと、飲料を供給するときは、記憶手段に記憶させたデータに基いてチューブポンプを駆動してチューブの吐出口から吐出させるシロップの量を制御する制御手段と、を備えたので、ＢＩＢを飲料供給装置に載置し、ＢＩＢのチューブをチューブポンプに配設してからの時間経過により、チューブが変形してシロップが通過する断面積が減少したり、また、飲料供給装置での飲料供給により、ＢＩＢ内のシロップ量（シロップ嵩）が減少した場合にも、シロップ吐出量を一定に保ち、所定の希釈比率で飲料を供給することが可能な飲料供給装置を実現することができる。
請求項２の発明によれば、飲料供給装置に、可撓性のチューブを備えたＢＩＢと、駆動モータが駆動されるとロータの各ローラとチューブガイドとの協働によりＢＩＢからチューブ内に流出したシロップをチューブの吐出口から吐出させるチューブポンプと、飲料を供給するときは、記憶手段に記憶させたデータに基いてチューブポンプの駆動モータの単位時間当たりの回転数を決定して、駆動モータを駆動してチューブの吐出口からシロップを吐出させる制御手段と、を備えたので、ＢＩＢを飲料供給装置に載置し、ＢＩＢのチューブをチューブポンプに配設してからの時間経過により、チューブが変形してシロップが通過する断面積が減少したり、また、飲料供給装置での飲料供給により、ＢＩＢ内のシロップ量（シロップ嵩）が減少した場合にも、時間当たりのシロップ吐出量を一定に保ち、所定の希釈比率で飲料を供給することが可能な飲料供給装置を実現することができる。さらに、記憶手段に記憶させたデータに基いてチューブポンプの駆動モータの単位時間当たりの回転数を変えて一定量のシロップを吐出するようにしたので、常に所定の希釈比率の飲料をカップに注ぐことができ、飲料の注出を途中でやめた場合にも所定の希釈比率の飲料を提供することができる。
【００１２】
請求項３の発明によれば、飲料供給装置に、可撓性のチューブを備えたＢＩＢと、駆動モータが駆動されるとロータの各ローラとチューブガイドとの協働によりＢＩＢからチューブ内に流出したシロップをチューブの吐出口から吐出させるチューブポンプと、飲料を供給するときは、記憶手段に記憶させたデータに基いてチューブポンプの駆動モータの回転数を決定して、駆動モータを駆動してチューブの吐出口からシロップを吐出させる制御手段と、を備えたので、ＢＩＢを飲料供給装置に載置し、ＢＩＢのチューブをチューブポンプに配設してからの時間経過により、チューブが変形してシロップが通過する断面積が減少したり、また、飲料供給装置での飲料供給により、ＢＩＢ内のシロップ量（シロップ嵩）が減少した場合にも、所定のシロップ吐出量に保ち、所定の希釈比率で飲料を供給することが可能な飲料供給装置を実現することができる。さらに、記憶手段に記憶させたデータに基いてチューブポンプの駆動モータの回転数を変えて所定量のシロップを吐出するようにしたので、駆動モータを駆動する電流の電圧制御装置の追加などのコストアップをすることなく、カップに所定量の希釈比率の飲料を供給することができる。
【００１３】
請求項４の発明によれば、飲料供給装置に、可撓性のチューブを備えたＢＩＢと、駆動モータが駆動されるとロータの各ローラとチューブガイドとの協働によりＢＩＢからチューブ内に流出したシロップをチューブの吐出口から吐出させるチューブポンプと、飲料を供給するときは、記憶手段に記憶させたデータに基いてチューブポンプの駆動モータの駆動時間を決定して、駆動モータを駆動してチューブの吐出口からシロップを吐出させる制御手段と、を備えたので、ＢＩＢを飲料供給装置に載置し、ＢＩＢのチューブをチューブポンプに配設してからの時間経過により、チューブが変形してシロップが通過する断面積が減少したり、また、飲料供給装置での飲料供給により、ＢＩＢ内のシロップ量（シロップ嵩）が減少した場合にも、所定のシロップ吐出量に保ち、所定の希釈比率で飲料を供給することが可能な飲料供給装置を実現することができる。さらに、記憶手段に記憶させたデータに基いてチューブポンプの駆動モータの駆動時間を変えて所定量のシロップを吐出するようにしたので、駆動モータを駆動する電流の電圧制御装置を追加するなどのコストアップすることなく、カップに所定量の希釈比率の飲料を供給することができる。
【００１４】
請求項５の発明によれば、飲料供給装置にＢＩＢを載置してからの時間に基いて、制御手段は記憶手段に記憶させたデータとタイマーがカウントしているデータとの比較で駆動モータの補正値を決定することができ、制御の簡略化を図ることができる。
請求項６の発明によれば、飲料供給装置にＢＩＢを載置してからの駆動モータの回転数に基いて、制御手段が駆動モータの補正値を決定するので、飲料の販売量が多く、ＢＩＢ内のシロップ量（シロップ嵩）の減少が早い場合にも、希釈比率の変動の少ない飲料をカップに注ぐことができる。
請求項７の発明によれば、飲料供給装置にＢＩＢを載置してからの時間および駆動モータの回転数に基いて、制御手段が駆動モータの補正値を決定するので、シロップ吐出量の減少要因である、ＢＩＢのチューブをチューブポンプに配設してからの時間経過でチューブが変形してシロップが通過する断面積減少と、飲料供給装置での飲料供給によるＢＩＢ内のシロップ量（シロップ嵩）減少と、に対応して所定のシロップ吐出量に保つことができるので、所定の希釈比率の飲料を供給することができる。
【発明を実施するための最良の形態】
【００１５】
以下に添付図面を参照して、本発明に係る飲料供給装置の好適な実施の形態について詳細に説明する。
（実施の形態１）
本発明は、シロップと希釈水からなる飲料を供給する飲料供給装置において、可撓性のチューブを備えたＢＩＢと、駆動モータが駆動されると各ローラとチューブガイドとの協働によりＢＩＢからチューブ内に流出したシロップをチューブの吐出口から吐出させるチューブポンプと、飲料を供給するときは、記憶手段に記憶させたデータに基いてチューブポンプの駆動モータの単位時間当たりの回転数を決定して、駆動モータを駆動して吐出口からシロップを吐出させる制御手段と、を備えている。
図１は、本発明の実施の形態１である飲料ディスペンサ１の概略構成を示すブロック図である。なお、各実施例の図中で図７、８に対応する部材には同じ符号を付してその説明を省略する。図１に示すごとく、飲料は水道から供給される希釈水と、ＢＩＢに充填されたシロップとが、カップ内で混合されて飲料となる。ここで、飲料選択ボタン４０（図２参照）が押されて飲料の選択が行われると、水ポンプ１２が運転され、同時に水入口弁１１と水供給弁１４が所定時間開いて、水ポンプ１２で圧送された水が、冷却水槽に貯留され冷凍装置で冷却される冷却水に浸漬して配設される冷却コイル１３を通過して冷やされ、流量調整器１５で流量が調整されて、希釈水ノズル８からドリップトレイ７に載置されているカップＣに供給される。同時にチューブポンプ２０のロータ２２が電圧制御装置９０が制御した電圧の電流で駆動モータ２９が駆動されると、ロータ２２の各ローラ２３がチューブ６を所定の押圧力で順次押し潰してしごき、一定量のシロップを圧送して吐出口６ａからカップＣに吐出する。このようにして、ＢＩＢ５に充填されているシロップと、冷却コイル１３で冷やされた希釈水が、ドリップトレイ７に載置されたカップＣに供給されて飲料となる。
【００１６】
図２は、本発明の飲料ディスペンサ１の制御ブロック図を示し、飲料ディスペンサ１の飲料の選択信号を出力する飲料選択ボタン４０、飲料ディスペンサ１各部の制御データや、ＢＩＢ５の交換時のリセット信号を入力する入力ボタンと表示部を有するデータ入力装置５０、ローラ２３の回転位置を検出して位置信号を出力するローラ位置検出センサ６０、駆動モータ２９が回転するとパルスを出力するエンコーダ７０、飲料を供給するための制御を行う制御部８０（制御手段）と、制御部８０が出力する信号で各々動作する、弁を開放すると水道水の通過を許可する水入口弁１１、水道水を圧送する水ポンプ１２、弁を開放すると水の通過を許可する水供給弁１４、制御部８０が信号を出力すると、該信号に基いてロータ２２が所定の回転数で回転するように駆動モータ２９に出力する電流の電圧を制御する電圧制御装置９０、電圧制御装置９０が制御した電圧の電流でロータ２２を回転駆動する駆動モータ２９、飲料ディスペンサ１各部の制御データを記憶するメモリ（記憶手段）８１と、基準クロック発生部（図示せず）で発生するクロックをカウントして時間を計測するタイマー８２を有する。
【００１７】
図３は、ＢＩＢ５を飲料ディスペンサ１に載置し、チューブ６をチューブポンプ２０に配設してからの時間経過に伴いチューブ６の変形が進行してシロップが通過する断面積（チューブ内シロップ容量）が減少し、チューブ６吐出口６ａからの単位時間当たりのシロップ吐出量が減少した場合の補正値を示している。図で示すように、時間経過（放置）に伴いシロップ吐出量が減少するが、駆動モータ２９の時間当たりの回転数を補正（増やす）することにより、時間当たりのシロップの吐出量を一定にすることができる。この補正値をメモリ８１に記憶させておき、制御部８０がメモリ８１に記憶させたデータとタイマー８２がカウントしている放置時間との比較で駆動モータ２９を制御することにより、時間当たりのシロップ吐出量を一定に保つことができる。
図４は、飲料ディスペンサ１での飲料供給により、ＢＩＢ５内のシロップ量（シロップ嵩）が減少するとシロップ自重が軽くなり、チューブ６内の流出圧が下がり、チューブ６吐出口６ａからの単位時間当たりのシロップ吐出量が減少した場合の補正値を示している。図で示すように、ロータ２２の回転に伴いシロップ吐出量が減少するが、駆動モータ２９の時間当たりの回転数を補正（増やす）することにより、時間当たりのシロップの吐出量を一定にすることができる。この補正値をメモリ８１に記憶させておき、制御部８０がメモリ８１に記憶させたデータとロータ２２の回転数との比較で駆動モータ２９を制御することにより、時間当たりのシロップ吐出量を一定に保つことができる。
【００１８】
このように、ＢＩＢ５を飲料ディスペンサ１に載置し、ＢＩＢ５のチューブ６をチューブポンプ２０に配設してからの時間経過により、チューブ６が変形してシロップが通過する断面積が減少したり、また、飲料ディスペンサ１での飲料供給により、ＢＩＢ５内のシロップ量（シロップ嵩）が減少した場合にも、制御部８０が出力する信号で電圧制御装置９０が電圧を制御した電流で駆動モータ２９を駆動してロータ２２を回転駆動して時間当たりのシロップ吐出量を一定に保つようにするので、所定の希釈比率で飲料を供給することが可能な飲料供給装置を実現することができる。さらに、メモリ８１に記憶させたデータに基いてチューブポンプ２０の駆動モータ２９の単位時間当たりの回転数を変えて一定量のシロップを吐出するようにしたので、常に所定の希釈比率の飲料をカップに注ぐことができ、飲料の注出を途中でやめた場合にも所定の希釈比率の飲料を提供することができる。
【００１９】
なお、チューブポンプ２０の駆動モータ２９の単位時間当たりの回転数を変えて時間当たりシロップ吐出量を一定にするには、駆動モータ２９を駆動する電流の電圧を電圧制御装置９０が制御する構成で説明したが、駆動モータ２９を駆動する電流の周波数を変えるようにしても時間当たりシロップ吐出量を一定にできることは言うまでもない。
また、チューブポンプ２０の時間当たりシロップ吐出量を測定する流量計を設け、その測定データに基いて駆動モータ２９の回転数を制御するようにしてもよい。
さらに、駆動モータ２９が駆動されるとロータ２２の各ローラ２３がチューブ６を所定の押圧力で順次押し潰してしごき、一定量のシロップを圧送するチューブポンプ２０の構成で説明したが、ボディに回転可能に保持される一対のスプロケットを備え、一対のスプロケットに巻回された歯付きベルトに複数のローラを所定の間隔で回転可能に取り付け、また、ローラと対向する側にはチューブを押圧するローラ受けを設け、ローラとローラ受けとの間にチューブを挟み込み、スプロケットを駆動モータで回転駆動すると、ローラがチューブを順次押し潰してしごき、シロップを圧送するチューブポンプに適用できることは言うまでもない。
（実施の形態２）
つぎに、この発明の実施の形態２について説明する。上述した実施の形態１では、シロップと希釈水からなる飲料を供給する飲料供給装置において、可撓性のチューブを備えたＢＩＢと、駆動モータが駆動されるとロータの各ローラとチューブガイドとの協働によりＢＩＢからチューブ内に流出したシロップをチューブの吐出口から吐出させるチューブポンプと、飲料を供給するときは、記憶手段に記憶させたデータに基いてチューブポンプの駆動モータの単位時間当たりの回転数を決定して、駆動モータを駆動してチューブの吐出口からシロップを吐出させる制御手段と、を備えていたが、この実施の形態２では、飲料を供給するときは、記憶手段に記憶させたデータに基いてチューブポンプの駆動モータの回転数を決定して、駆動モータを駆動してチューブの吐出口からシロップを吐出させる制御手段を備えている。
【００２０】
図５は、本発明の実施の形態２の飲料ディスペンサ１の概略構成を示すブロック図である。水ポンプ１２が運転されると、同時に水入口弁１１と水供給弁１４が所定時間開いて、水ポンプ１２で圧送された水が、冷却水槽に貯留され冷凍装置で冷却される冷却水に浸漬して配設される冷却コイル１３を通過して冷やされ、流量調整器１５で流量が調整されて、希釈水ノズル８からドリップトレイ７に載置されているカップＣに供給される。同時にチューブポンプ２０の駆動モータ２９が駆動され、ロータ２２の各ローラ２３がチューブ６を所定の押圧力で順次押し潰してしごき、シロップを一定量ずつ圧送して吐出口６ａから吐出する。このようにして、ＢＩＢ５に充填されているシロップと、冷却コイル１３で冷やされた希釈水が、ドリップトレイ７に載置されたカップＣに供給されて飲料となる。
【００２１】
図６は、本発明の実施の形態２の飲料ディスペンサ１の制御ブロック図を示し、飲料ディスペンサ１の飲料の選択信号を出力する飲料選択ボタン４０、飲料ディスペンサ１各部の制御データを入力する入力ボタンと表示部を有するデータ入力装置５０、ローラ２３の回転位置を検出して位置信号を出力するローラ位置検出センサ６０、駆動モータ２９が回転するとパルスを出力するエンコーダ７０、飲料を供給するための制御を行う制御部８０（制御手段）と、制御部８０が出力する信号で各々動作する、弁を開放すると水道水の通過を許可する水入口弁１１、水道水を圧送する水ポンプ１２、弁を開放すると水の通過を許可する水供給弁１４、ロータ２２を回転駆動する駆動モータ２９、飲料ディスペンサ１各部の制御データを記憶するメモリ（記憶手段）８１と、基準クロック発生部（図示せず）で発生するクロックをカウントして時間を計測するタイマー８２を有する。
【００２２】
ＢＩＢ５を飲料ディスペンサ１に載置し、チューブ６をチューブポンプ２０に配設してからの時間経過に伴いチューブ６の変形が進行してシロップが通過する断面積（チューブ内シロップ容量）が減少し、チューブ６吐出口６ａからの単位時間当たりのシロップ吐出量が減少した場合に、駆動モータ２９の回転数を補正（増やす）することにより、所定量のシロップを吐出することができる。この補正値をメモリ８１に記憶させておき、制御部８０がメモリ８１に記憶させたデータとタイマー８２がカウントしている放置時間との比較で駆動モータ２９の回転数を増やすことにより、シロップ吐出量を所定量に保つことができる。
飲料ディスペンサ１での飲料供給により、ＢＩＢ５内のシロップ量（シロップ嵩）が減少するとシロップ自重が軽くなり、チューブ６内の流出圧が下がり、チューブ６吐出口６ａからの単位時間当たりのシロップ吐出量が減少した場合に、駆動モータ２９の回転数を補正（増やす）することにより、所定量のシロップを吐出することができる。この補正値をメモリ８１に記憶させておき、制御部８０がメモリ８１に記憶させたデータとロータ２２の回転数との比較で駆動モータ２９の回転数を増やすことにより、シロップ吐出量を所定量に保つことができる。
【００２３】
以上のように、ＢＩＢ５を飲料ディスペンサ１に載置し、ＢＩＢ５のチューブ６をチューブポンプ２０に配設してからの時間経過により、チューブ６が変形してシロップが通過する断面積が減少したり、また、飲料ディスペンサ１での飲料供給により、ＢＩＢ５内のシロップ量（シロップ嵩）が減少した場合にも、所定のシロップ吐出量に保ち、所定の希釈比率で飲料を供給することが可能な飲料供給装置を実現することができる。さらに、メモリ８１に記憶させたデータに基いてチューブポンプ２０の駆動モータ２９の回転数を変えて所定量のシロップを吐出するようにしたので、常に所定の希釈比率の飲料をカップに注ぐことができる。
なお、実施の形態２においても、ロータ２２の各ローラ２３がチューブ６を所定の押圧力で順次押し潰してしごき、一定量のシロップを圧送するチューブポンプ２０の構成で説明したが、ボディに回転可能に保持される一対のスプロケットを備え、一対のスプロケットに巻回された歯付きベルトに複数のローラを所定の間隔で回転可能に取り付け、また、ローラと対向する側にはチューブを押圧するローラ受けを設け、ローラとローラ受けとの間にチューブを挟み込み、スプロケットを駆動モータで回転駆動すると、ローラがチューブを順次押し潰してしごき、シロップを圧送するチューブポンプに適用できることは言うまでもない。
（実施の形態３）
つぎに、この発明の実施の形態３について説明する。上述した実施の形態２では、飲料を供給するときは、記憶手段に記憶させたデータに基いてチューブポンプの駆動モータの回転数を決定して、駆動モータを駆動してチューブの吐出口からシロップを吐出させる制御手段を備えていたが、この実施の形態３では、飲料を供給するときは、記憶手段に記憶させたデータに基いてチューブポンプの駆動モータの駆動時間を決定して、駆動モータを駆動してチューブの吐出口から前記シロップを吐出させる制御手段を備えてる。
【００２４】
ＢＩＢ５を飲料ディスペンサ１に載置し、チューブ６をチューブポンプ２０に配設してからの時間経過に伴いチューブ６の変形が進行してシロップが通過する断面積（チューブ内シロップ容量）が減少し、チューブ６吐出口６ａからの単位時間当たりのシロップ吐出量が減少した場合に、駆動モータ２９の駆動時間を補正（増やす）することにより、所定量のシロップを吐出することができる。この補正値をメモリ８１に記憶させておき、制御部８０がメモリ８１に記憶させたデータとタイマー８２がカウントしている放置時間との比較で駆動モータ２９の駆動時間を増やすことにより、シロップ吐出量を所定量に保つことができる。
飲料ディスペンサ１での飲料供給により、ＢＩＢ５内のシロップ量（シロップ嵩）が減少するとシロップ自重が軽くなり、チューブ６内の流出圧が下がり、チューブ６吐出口６ａからの単位時間当たりのシロップ吐出量が減少した場合に、駆動モータ２９の駆動時間を補正（増やす）することにより、所定量のシロップを吐出することができる。この補正値をメモリ８１に記憶させておき、制御部８０がメモリ８１に記憶させたデータとロータ２２の回転数との比較で駆動モータ２９の駆動時間を増やすことにより、シロップ吐出量を所定量に保つことができる。
【００２５】
以上のように、ＢＩＢ５を飲料ディスペンサ１に載置し、ＢＩＢ５のチューブ６をチューブポンプ２０に配設してからの時間経過により、チューブ６が変形してシロップが通過する断面積が減少したり、また、飲料ディスペンサ１での飲料供給により、ＢＩＢ５内のシロップ量（シロップ嵩）が減少した場合にも、所定のシロップ吐出量に保ち、所定の希釈比率で飲料を供給することが可能な飲料供給装置を実現することができる。さらに、メモリ８１に記憶させたデータに基いてチューブポンプ２０の駆動モータ２９の駆動時間を変えて所定量のシロップを吐出するようにしたので、常に所定の希釈比率の飲料をカップに注ぐことができる。
なお、実施の形態３においても、ロータ２２の各ローラ２３がチューブ６を所定の押圧力で順次押し潰してしごき、一定量のシロップを圧送するチューブポンプ２０の構成で説明したが、ボディに回転可能に保持される一対のスプロケットを備え、一対のスプロケットに巻回された歯付きベルトに複数のローラを所定の間隔で回転可能に取り付け、また、ローラと対向する側にはチューブを押圧するローラ受けを設け、ローラとローラ受けとの間にチューブを挟み込み、スプロケットを駆動モータで回転駆動すると、ローラがチューブを順次押し潰してしごき、シロップを圧送するチューブポンプに適用できることは言うまでもない。
【図面の簡単な説明】
【００２６】
【図１】本発明の実施の形態１である飲料供給装置の概略構成を示すブロック図である。
【図２】図１に示した飲料供給装置の実施の形態１の制御系を示すブロック図である。
【図３】図２に示した飲料供給装置の駆動モータの補正データである。
【図４】図２に示した飲料供給装置の駆動モータの補正データである。
【図５】本発明の実施の形態２である飲料供給装置の概略構成を示すブロック図である。
【図６】図５に示した飲料供給装置の実施の形態２の制御系を示すブロック図である。
【図７】飲料ディスペンサの概略構成図である。
【図８】チューブポンプの正面図である。
【図９】チューブ配設後の放置によるシロップ吐出量の変化を示す図である。
【図１０】供給量（ロータの回転数）によるシロップ吐出量の変化を示す図である。
【符号の説明】
【００２７】
１      飲料ディスペンサ
４      冷蔵庫
５      ＢＩＢ
６      チューブ
６ａ    吐出口
８      希釈水ノズル
１１      水入口弁
１２      水ポンプ
１３      冷却コイル
１４      水供給弁
１５      流量調整器
２０      チューブポンプ
２１      ボディ
２２      ロータ
２３      ローラ
２４      チューブガイド
２５      支軸
２６      ストッパ
２７      チューブガイドロック
２８      チューブ固定部
２９      駆動モータ
４０      飲料選択ボタン
５０      データ入力装置
６０      ローラ位置検出センサ
７０      エンコーダ
８０      制御部
８１      メモリ
８２      タイマー
９０      電圧制御装置
Ｃ        カップ
【図１】
2006069551.tif 000003
【図２】
2006069551.tif 000004
【図３】
2006069551.tif 000005
【図４】
2006069551.tif 000006
【図５】
2006069551.tif 000007
【図６】
2006069551.tif 000008
【図７】
2006069551.tif 000009
【図８】
2006069551.tif 000010
【図９】
2006069551.tif 000011
【図１０】
2006069551.tif 000012